(57)【要約】【課題】カバーが全開位置を超えて開かれようとした場合に、カバーや筐体が破損することを防止し、また、カバーの紛失を防止できるようにする。【解決手段】カバー１０の回動軸の両端部を成す一対の軸部材１１ａ，１１ｂと、軸部材１１ａ，１１ｂがそれぞれ嵌め込まれて当該軸部材１１ａ，１１ｂを回動可能に支持する、ケース２０に設けられた一対の軸受部２１ａ，２１ｂと、を備え、軸部材１１ａ，１１ｂの一方（１１ｂ）にのみ、カバー１０の閉鎖位置においてケース２０の開口部を閉鎖するカバー面が向く方向であり、かつ、カバー１０の全開位置において対応する軸受部２１ｂの内周面に当接する部分に、面取り部分１１１が設けられる。【選択図】図３
2012141049.tif 000002
【特許請求の範囲】
【請求項１】
開口部を有するケースと、前記開口部を覆い前記開口部の一端に回動自在に取り付けられるカバーと、を備えた収容アセンブリのヒンジ構造であって、
前記カバーの回動軸の両端部を成す一対の軸部材と、
前記軸部材がそれぞれ嵌め込まれて当該軸部材を回動可能に支持する、前記ケースに設けられた一対の軸受部と、を備え、
前記軸部材の一方にのみ、前記カバーの閉鎖位置において前記開口部を閉鎖するカバー面が向く方向であり、かつ、前記カバーの全開位置において対応する前記軸受部の内周面に当接する部分に、面取り部分が設けられた、ヒンジ構造。
【請求項２】
前記ケースは、前記軸部材が嵌め込まれる前記軸受部から前記カバーの全開位置において前記面取り部分が向く方向へ延在し、当該軸受部を外れた前記軸部材を誘導するガイド部を備えた、請求項１に記載のヒンジ構造。
【請求項３】
前記ケースは、前記カバーの全開位置において前記カバーの表面に接する突起部をさらに備えた、請求項１又は２に記載のヒンジ構造。
【請求項４】
前記カバーは、前記閉鎖位置において前記開口部を閉鎖する前記カバー面が向く方向に向けて開口する切り欠き部を備えた、請求項１〜３のいずれか１項に記載のヒンジ構造。
【請求項５】
前記突起部は、前記カバーの前記回動軸の長さ方向の幅中央又はその近傍に対応する位置に設けられた、請求項３に記載のヒンジ構造。
【請求項６】
前記切り欠き部は、前記カバーの前記回動軸の長さ方向の幅中央又はその近傍に対応する位置に設けられた、請求項４に記載のヒンジ構造。
【請求項７】
前記カバーを前記ケースに対して特定の開放角に留める係止構造を有する、請求項１〜６のいずれか１項に記載のヒンジ構造。
【請求項８】
前記係止構造は、
前記カバーに設けられ、前記閉鎖位置において前記開口部を閉鎖する前記カバー面が向く方向に向けて突出する突起部と、
前記ケースに設けられ、前記開放角に係止される位置において前記カバーの前記突起部と係合して前記カバーを係止する係止部と、を備えた、請求項６に記載のヒンジ構造。
【請求項９】
前記ケースは、前記開放角への前記カバーの回動運動に伴って前記係止部が前記突起部と係合しながら前記突起部から受ける圧力に応じて前記回動軸から離れる方向に弾性変形する部分を有する、請求項８に記載のヒンジ構造。
【請求項１０】
前記弾性変形する部分は、前記圧力に応じて前記回動軸から離れる方向に開口サイズが変形するスリットを含む、請求項９に記載のヒンジ構造。
【発明の詳細な説明】
【技術分野】
【０００１】
本発明は、ケースとカバーのヒンジ構造に関する。
【背景技術】
【０００２】
電力量計等の機器の筐体（ケース）に対してカバーを開閉可能に支持するヒンジ構造の従来例として、下記の特許文献１及び２に記載された技術（以下、それぞれ「従来例１」及び「従来例２」と称する。）がある。
【０００３】
特許文献１及び２には、長方形状のカバーの一側（短辺側）の両端に設けられた円柱状の突起部と、当該突起部に対応して筐体に設けられ、当該突起部がそれぞれ嵌合される孔とが記載されている。各突起部は孔に嵌合された状態で回動可能に支持されており、これにより、各突起部を回動軸としてカバーを開閉（揺動）することができる。
【０００４】
ここで、従来例１では、各突起部の回動軸方向の長さが、孔と浅く係合するように比較的短く設定されている。これにより、カバーが開放位置にあるときに外部から衝撃を受けた場合、カバーがハウジングから容易に外れるので、カバーと筐体との係合部分での破損を防止することができる。その一方で、従来例１では、カバーが閉鎖位置にあるときにはカバーが容易に外れないよう、筐体に、カバーが閉鎖位置にあるときに当該カバーに設けられた別の突起部が嵌合する円弧状のガイド溝が設けられている。
【０００５】
これに対し、従来例２では、カバーの回動軸を成す各突起部の一部、具体的にはカバーが閉鎖位置にあるときにハウジング内側に向く円柱の半分に面取りが施され、かつ、突起部の嵌合される孔がハウジング側面視において「くの字状」の長孔に設定される。これにより、カバーが必要以上に大きく開かれて過大な力が係合部分に加わっても、各突起部が長孔の内壁を滑りながら移動し最終的には面取り部分を通じてカバーが長孔から外れる。したがって、係合部分が破損することを防止することができる。
【先行技術文献】
【特許文献】
【０００６】
【特許文献１】特開平９−２１００４６号公報
【特許文献２】特開平５−１１３４５２号公報
【発明の概要】
【発明が解決しようとする課題】
【０００７】
しかしながら、上述した従来例１及び２において、カバーの回動軸を成す各突起部は、カバーを限界まで完全に開いた位置（全開位置）において、対応する孔のそれぞれから外れ易い形状（面取り部分）を有している。そのため、カバーが外れたときの衝撃でカバーがハウジングから完全に分離してしまい（例えば、カバーが外れたときの衝撃であらぬ方向に飛んでいってしまう等）、カバーを紛失してしまうおそれがある。
【０００８】
そこで、本発明の目的の一つは、カバーが全開位置を超えて開かれようとした場合に、カバーや筐体が破損することを防止し、また、カバーの紛失を防止できるようにすることにある。
【０００９】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１０】
本発明のヒンジ構造の一態様は、開口部を有するケースと、前記開口部を覆い前記開口部の一端に回動自在に取り付けられるカバーと、を備えた収容アセンブリのヒンジ構造であって、前記カバーの回動軸の両端部を成す一対の軸部材と、前記軸部材がそれぞれ嵌め込まれて当該軸部材を回動可能に支持する、前記ケースに設けられた一対の軸受部と、を備え、前記軸部材の一方にのみ、前記カバーの閉鎖位置において前記開口部を閉鎖するカバー面が向く方向であり、かつ、前記カバーの全開位置において対応する前記軸受部の内周面に当接する部分に、面取り部分が設けられる。
【００１１】
ここで、前記ケースは、前記軸部材が嵌め込まれる前記軸受部から前記カバーの全開位置において前記面取り部分が向く方向へ延在し、当該軸受部を外れた前記軸部材を誘導するガイド部を備えてもよい。
【００１２】
また、前記ケースは、前記カバーの全開位置において前記カバーの表面に接する突起部をさらに備えてもよい。
【００１３】
さらに、前記カバーは、前記閉鎖位置において前記開口部を閉鎖する前記カバー面が向く方向に向けて開口する切り欠き部を備えてもよい。
【００１４】
また、前記突起部は、前記カバーの前記回動軸の長さ方向の幅中央又はその近傍に対応する位置に設けてもよい。
【００１５】
さらに、前記切り欠き部は、前記カバーの前記回動軸の長さ方向の幅中央又はその近傍に対応する位置に設けてもよい。
【００１６】
また、前記ヒンジ構造は、前記カバーを前記ケースに対して特定の開放角に留める係止構造を有していてもよい。
【００１７】
ここで、前記係止構造は、前記カバーに設けられ、前記閉鎖位置において前記開口部を閉鎖する前記カバー面が向く方向に向けて突出する突起部と、前記ケースに設けられ、前記開放角に係止される位置において前記カバーの前記突起部と係合して前記カバーを係止する係止部と、を備えてもよい。
【００１８】
また、前記ケースは、前記開放角への前記カバーの回動運動に伴って前記係止部が前記突起部と係合しながら前記突起部から受ける圧力に応じて前記回動軸から離れる方向に弾性変形する部分を有してもよい。
【００１９】
さらに、前記弾性変形する部分は、前記圧力に応じて前記回動軸から離れる方向に開口サイズが変形するスリットを含んでもよい。
【図面の簡単な説明】
【００２０】
【図１】実施形態に係るカバーのヒンジ構造を備えた収容アセンブリ１の外観例を示す模式的斜視図である。
【図２】（ａ）は図１に例示する収容アセンブリの模式的平面図、（ｂ）は（ａ）におけるＤ−Ｄ矢視断面図、（ｃ）は（ａ）におけるＡ矢視側面図、（ｄ）は（ａ）におけるＢ矢視側面図、（ｅ）は（ａ）におけるＥ−Ｅ矢視断面図である。
【図３】（ａ）及び（ｂ）はそれぞれ図２（ａ）に枠Ｃ１及びＣ２で囲まれた部分を拡大して示す部分拡大断面図である。
【図４】（ａ）は図１及び図２に例示するケースの模式的平面図、（ｂ）は（ａ）におけるＡ矢視側面図、（ｃ）は（ａ）におけるＤ−Ｄ矢視断面図、（ｄ）は（ａ）におけるＢ矢視側面図である。
【図５】（ａ）は図１及び図２に例示するカバーの模式的平面図、（ｂ）は（ａ）におけるＡ矢視側面図、（ｃ）は（ａ）におけるＢ矢視側面図、（ｄ）は（ａ）におけるＣ矢視側面図、（ｅ）は（ａ）におけるＥ−Ｅ矢視断面図である。
【図６】収容アセンブリの図２（ｄ）に相当する側面図である。
【図７】（ａ）は変形例に係るケースの模式的平面図、（ｂ）は（ａ）におけるＢ矢視側面図である。
【図８】（ａ）は変形例に係るカバーの模式的裏面図、（ｂ）は（ａ）におけるＡ矢視側面図、（ｃ）は（ａ）におけるＢ矢視側面図である。
【図９】変形例に係るカバーが係止状態にあるときの様子を模式的に示す側面図である。
【発明を実施するための形態】
【００２１】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２２】
図１は実施形態に係るカバーのヒンジ構造を備えた収容アセンブリ１の外観例を示す模式的斜視図である。図２（ａ）は同収容アセンブリ１の模式的平面図、図２（ｂ）は図２（ａ）にけるＤ−Ｄ矢視断面図、図２（ｃ）は図２（ａ）におけるＡ矢視側面図、図２（ｄ）は図２（ａ）におけるＢ矢視側面図、図２（ｅ）は図２（ａ）おけるＥ−Ｅ矢視断面図である。また、図３（ａ）及び図３（ｂ）はそれぞれ図２（ａ）に枠Ｃ１及びＣ２で囲まれた部分を拡大して示す部分拡大断面図である。
【００２３】
図１及び図２に示すように、収容アセンブリ１は、例示的に、全体的に直方体形状を有し、内部に収容部（空間）を有するケース２０と、当該ケース２０の開口部（収容部）を覆うカバー１０と、を備える。ケース２０内部に収容される収容物は、特に限定されないが、例示的に、流量計等の計測機器の入出力（Ｉ／Ｏ）モジュール（例えば、ディスプレイや設定パネル等を含む）である。なお、カバー１０及びケース２０は、非限定的な一例として、プラスチック等の樹脂を成形することで得られる。
【００２４】
図４にケース２０の構成例を示し、図５にカバー１０の構成例を示す。図４（ａ）はケース２０の模式的平面図、図４（ｂ）は図４（ａ）におけるＡ矢視側面図、図４（ｃ）は図４（ａ）におけるＤ−Ｄ矢視断面図、図４（ｄ）は図４（ａ）におけるＢ矢視側面図である。一方、図５（ａ）はカバー１０の模式的平面図、図５（ｂ）は図５（ａ）におけるＡ矢視側面図、図５（ｃ）は図５（ａ）におけるＢ矢視側面図、図５（ｄ）は図５（ａ）におけるＣ矢視側面図、図５（ｅ）は図５（ａ）におけるＥ−Ｅ矢視断面図である。
【００２５】
図４に示すように、ケース２０は、例示的に、平面視において上面に開口部２００を有する直方体形状を有している。図２及び図４に例示するように、ケース２０は、対向する２つの長辺を成す側壁２０ｂ及び２０ｃ、対向する２つの短辺を成す側壁２０ｄ及び２０ｅ、並びにケース２０の底を成す底部２０ｆを備えている。これらの側壁（以下「ケース側壁」ともいう。）２０ｂ〜２０ｅ及び底部（以下「ケース底部」ともいう。）２０ｆによって規定される空間（凹部）が収容部となる。
【００２６】
ケース２０の長辺を成す側壁２０ｂ及び２０ｃには、カバー１０の回動軸を成す一対の軸部材１１ａ及び１１ｂ（図３及び図５参照）が嵌合されて当該軸部材（以下「カバー軸」ともいう。）１１ａ及び１１ｂをカバー１０の開閉運動（揺動）に応じて回動可能に支持する一対の軸受部２１ａ及び２１ｂを設けることができる。当該軸受部（以下「ケース軸受部」ともいう。）２１ａ及び２１ｂは、ケース側壁２０ｂ及び２０ｃを貫通する孔でもよいし、当該ケース側壁２０ｂ及び２０ｃを貫通しない凹部でもよい。
【００２７】
平面視においてケース２０の短辺を成す２つの対向する側壁２０ｄ及び２０ｅのうち、軸受部２１ａ及び２１ｂに近い方のケース側壁２０ｄは、カバー１０をケース２０に対して開くことのできる限界（全開位置）を規定するストッパーとしての位置付けを有する。したがって、カバー１０が全開位置にある時の、カバー１０とケース２０との成す角度がカバー全開角となる。
【００２８】
例えば、ケース側壁２０ｄがケース底部２０ｆからケース軸受部２１ａ及び２１ｂ近傍まで垂直に延在する場合、カバー表面１０ａがケース側壁２０ｄの上端面に接触する位置がカバー１０の全開位置となる。このとき、カバー１０を完全に閉じた状態（閉鎖位置）でのカバー１０とケース２０とが成す角度を０°とすると、カバー１０は０°〜１８０°程度の角度範囲でケース２０に対して開閉（揺動）することができる。
【００２９】
ここで、ストッパーとして機能するケース側壁２０ｄの形状を適宜に変更することで、カバー１０の全開位置（カバー全開角）を変更することができる。非限定的な一例として、ケース側壁２０ｄに、図１、図２、及び図４に示すように、ケース底部２０ｆとの成す角度が９０°未満の傾斜角（仮に「α」とする。）をもつ傾斜面２１０を設ける。この場合、カバー表面１０ａが傾斜面２１０に接するまでカバー１０を開くことができるから、０°〜（１８０°＋α）の角度範囲でカバー１０をケース２０に対して開閉することが可能になる。
【００３０】
なお、カバー１０がケース２０に対して内挿される構造では、図４（ａ）及び図４（ｃ）に例示するように、ケース側壁２０ｂ〜２０ｅの内壁面には、カバー１０が閉鎖位置にある時にカバー裏面１０ｆの周縁部と接してカバー１０を支持する段差部２１５を設けることができる。
【００３１】
次に、図２及び図５に示すように、カバー１０は、例示的に、ケース２０の開口部２００の形状に応じた矩形形状を有し、全体的に平板状の部材である。カバー１０は、カバー表面１０ａ、カバー裏面１０ｆ、対向する２つの長辺を成すカバー側部１０ｂ及び１０ｃ、並びに対向する２つの短辺を成すカバー側部１０ｄ及び１０ｅを有する。
【００３２】
既述のカバー軸１１ａ及び１１ｂは、例示的に、カバー１０の長辺を成す両カバー側部１０ｂ及び１０ｃに設けることができる。非限定的な一例として、カバー軸１１ａ及び１１ｂは、カバー１０の短辺を成すカバー側部１０ｄ及び１０ｅの一方（例えば、カバー側部１０ｄ）に設けることができる。カバー側部１０ｄは、例えば図５（ｂ）及び図５（ｄ）の側面図に示すように、カバー表面１０ａからカバー裏面１０ｆへ連通する曲面を有するフランジ部とすることができる。当該フランジ部の曲面は、カバー軸１１ａ及び１１ｂの径に応じた曲率を有するように設定することができる。
【００３３】
カバー軸１１ａ及び１１ｂは、それぞれ全体的に円柱形状を有しているが、一方（例えばカバー軸１１ｂ）には、図３（ａ）の部分拡大断面図に例示するように、カバー１０が図１に示すように閉鎖位置にある時にケース２０の開口部２００を閉鎖するカバー面（カバー裏面）１０ｆが向く部分（別言すると、ケース底部２０ｆ側に向く部分）に「面取り」を施すのが好ましい。つまり、面取り部分１１１は、カバー１０が全開位置にある時には、ケース軸受部２１ｂの内周面に当接する方向に向くことになる。
【００３４】
これにより、カバー１０が全開位置に達すると、カバー軸１１ｂの面取り部分１１１がカバー軸受部２１ｂの内周面と当接するようになり、さらに当該全開位置を超えてカバー１０開かれようとして過大な力がカバー軸１１ａ及び１１ｂやケース軸受部２１ａ及び２１ｂ（以下、まとめて「係合箇所」ともいう。）に加わったとしても、係合箇所が破損してしまう前に、ケース軸受部２１ｂの内周面に当接している一方のカバー軸１１ｂの面取り部分１１１を通じてカバー軸１１ｂがケース軸受部２１ｂから外れる。したがって、破損に伴う部品交換の必要性を低減することができ、ひいては部品交換のコストや時間を削減することができる。
【００３５】
一方で、図３（ｂ）の部分拡大断面図に例示するように、他方のカバー軸１１ａには「面取り」が施されていない。すなわち、カバー軸１１ａは、対応するケース軸受部２１ａの内周面に応じた外周面を有している。そのため、カバー１０が閉鎖位置と全開位置との間のどの位置にあってもカバー軸１１ａと対応するケース軸受部２１ａとの嵌合状態は良好に維持され易い。
【００３６】
したがって、上述のごとく一方のカバー軸１１ｂが面取り部分１１１を通じてケース軸受部２１ｂから外れたとしても、他方のカバー軸１１ａはケース軸受部２１ａに嵌合したままとなるから、カバー軸１１ｂがケース軸受部２１ｂから外れた後にカバー軸１１ａがケース軸受部２１ａから外れることになる。よって、カバー１０がケース２０から瞬時に完全に分離してしまってカバー１０を紛失してしまうような事態も抑制できる。
【００３７】
外れたカバー１０をケース２０に取り付ける際には、図１に示すような閉鎖位置にある時の向きで、まず面取り部分１１１の無い方のカバー軸１１ａを先にケース軸受部２１ａに嵌め込んだ後、カバー１０をケース２０の正面から押せば、カバー軸１１ｂの面取り部分１１１がケース２０のケース側壁２０ｃに当接するので、面取り部分１１１を通じて容易にカバー軸１１ｂをケース軸受部２１ｂに嵌合させることができる。
【００３８】
なお、カバー軸１１ｂの面取り部分１１１は、平面でもよいし、ケース軸受部２１ｂからカバー軸１１ｂがより外れ易くなるような曲面としてもよい。また、図４（ｃ）に示すように、カバー軸１１ｂに対応するケース軸受部２１ｂが設けられたケース側壁２０ｃの内壁面には、非限定的な一例として、ケース軸受部２１ｂからケース側壁２０ｃの角部２１２に向かって扇状に拡がる窪み部２１３を設けてもよい。
【００３９】
別言すれば、窪み部２１３は、カバー１０の全開位置においてカバー軸１１ｂの面取り部分１１１が向く方向に延在し、ケース軸受部２１ｂから外れたカバー軸１１ｂを誘導するガイド部として機能する。すなわち、カバー１０の全開位置を超えてカバー１０が開かれようとしてカバー軸１１ｂが面取り部分１１１を通じてケース軸受部２１ｂから外れると、カバー軸１１ｂは窪み部２１３の形成範囲内を誘導されてケース側壁２０ｃの内壁面から外れることになる。
【００４０】
したがって、カバー軸１１ｂは、ガイド部２１３の形状に応じて一定範囲の方向へケース２０から外れ易くなり、予期せぬ方向へカバー１０がケース２０から脱落してカバーを紛失してしまうような事態を更に抑制できる。なお、他方のケース軸受部２１ａが設けられたケース側壁２１ｂには、窪み部（ガイド部）を設けなくてもよい。
【００４１】
外れたカバー１０をケース２０に取り付ける際には、図１に示すような閉鎖位置にある時の向きで、まず面取り部分１１１の無い方のカバー軸１１ａを先にケース軸受部２１ａに嵌め込んだ後、カバー１０をケース２０の正面から押せば、カバー軸１１ｂの面取り部分１１１がケース２０のケース側壁２０ｃに当接し、その後、ガイド部２１３を通じてカバー軸１１ｂがケース軸受部２１ｂに向けて誘導されるので、容易にカバー軸１１ｂをケース軸受部２１ｂに嵌め込むことができる。
【００４２】
また、面取り部分１１１を通じたケース軸受部２１ｂからのカバー軸１１ｂの外れ易さは、図３（ａ）の部分拡大断面図において、面取り部分１１１とケース軸受部２１ｂの内周面とが成す角度（面取り角β）を調整することで調整可能である。したがって、例えば、カバー軸１１ａ及び１１ｂやケース軸受部２１ａ及び２１ｂの強度が弱い場合には面取り角βを大きく設定し、逆に、当該強度が強い場合には面取り角βを小さく設定することができる。非限定的な一例として、面取り角βは４０°以上に設定するとよい。
【００４３】
さらに、ストッパーとして機能するケース側壁２０ｄ（例えば傾斜面２１０）には、突起部２１１を設けてもよい。非限定的な一例として、図１、図２（ｄ）、図４（ａ）、及び図４（ｄ）に示すように、突起部２１１は、ケース側壁２０ｄの傾斜面２１０の幅方向中央又はその近傍に設けることができる。
【００４４】
突起部２１１を設けることで、カバー１０が全開位置を超えて開かれようとしたとき、カバー１０（カバー表面１０ａ）は、突起部２１１を支点にして反るように撓む。したがって、カバー軸１１ｂの面取り角βが同じでも、突起部２１１を設けた場合の方がカバー軸１１ｂをケース軸受部２１ｂから外れ易くすることができる。
【００４５】
なお、カバー１０を撓ませてカバー軸１１ｂをケース軸受部２１ｂから外れ易くできる構造であれば、他の構造を適用してもよい。例えば、代替的あるいは追加的に、突起部をカバー１０側に設けてもよい。
【００４６】
また、図２（ｄ）、図２（ｅ）、図５（ｃ）、及び図５（ｅ）に例示するように、カバー軸１１ａ及び１１ｂが設けられた方のカバー側部（フランジ部）１０ｄの回動軸の長さ方向の幅中央又はその近傍に対応する位置には、カバー１０の閉鎖位置においてケース２０の開口部２００を閉鎖する面であるカバー裏面１０ｆが向く方向に開口する切り欠き部（スリット）１１０を設けてもよい。カバー側部１０ｄにスリット１１０を設けることで、カバー１０（カバー側部１０ｄ）は、スリット１１０の開口幅が拡縮する方向に、より撓み易くなる。
【００４７】
したがって、例えば、スリット１１０を既述の突起部２１１に対応する位置に設けておくことで、突起部２１１を支点としてスリット１１０の開口幅が広がる方向に、カバー１０（カバー側部１０ｄ）を、より大きく撓ませることができる。その結果、スリット１１０を設けない場合よりも、更にカバー軸１１ｂをケース軸受部２１ｂから外れ易くすることができる。
【００４８】
なお、スリット１１０はカバー側部１０ｄに複数設けてもよい。また、カバー側部１０ｄにスリット１１０を設ける代わりに、カバー側部１０ｄの肉厚を全体的あるいは部分的に薄くすることで、カバー１０を撓み易い構造にすることもできる。ただし、この場合、例えば図６に例示するように、当該カバー側部１０ｄの側からの側面視においてカバー１０とケース２０との間に生じる隙間３００が大きくなってしまう。そのため、上述したようにスリット１１０を設ける方が、外観への影響が少なく、デザイン性も良い。また、ケース２０内部を保護する観点からも好ましい。
【００４９】
さらに、カバー１０よりもケース２０の方を相対的に撓み易い構造にすること（例えばケース２０の底部２０ｆにスリットを設ける等）も考えられる。しかし、カバー１０の方を撓み易い構造にした方が、外観への影響が少なく、デザイン性もよい。
【００５０】
（変形例）
上述した収容アセンブリ１には、例えば９０°〜１８０°の角度範囲の開放角でカバー１０を開いたままの状態（以下「係止状態」ともいう。）に維持（ラッチ）できるようにした係止構造（ラッチ機構）を設けてもよい。
【００５１】
係止構造の非限定的な一例を図７〜図９に示す。図７（ａ）はケース２０の模式的平面図、図７（ｂ）は図７（ａ）におけるＢ矢視側面図である。図８（ａ）はカバー１０の模式的裏面図、図８（ｂ）は図８（ａ）におけるＡ矢視側面図、図８（ｃ）は図８（ａ）におけるＢ矢視側面図である。図９はカバー１０が係止状態にあるときの様子を模式的に示す側面図である。なお、図７〜図９において、既述の符号と同一符号を付している部分は、特に断らない限り、既述の部分と同一若しくは同様の部分である。
【００５２】
図９に詳細に例示するように、ケース２０には、カバー１０が特定の開放角γ（０°＜γ＜１８０°であり、例えばγ＝１００°等）にある時に当該カバー１０の例えばフランジ部１０ｄに設けられた突起部１１２と係合してカバー１０をその自重に逆らって当該開放角に開いたままの状態に維持する係止部（ストッパー）２２２を例えばケース側壁２０ｄに設けることができる。
【００５３】
カバー１０の突起部１１２は、図８に例示するように、カバー１０の回動軸の長さ方向の幅中央又はその近傍に対応するフランジ部１０ｄの位置に設けることができる。一方、ケース２０のストッパー２２２は、図７に例示するように、当該突起部１１２と係合可能な位置、例えば、カバー１０の回動軸の長さ方向の幅中央又はその近傍に対応するケース側壁２０ｄの位置に設けることができる。ただし、カバー１０の突起部１１２とケース２０のストッパー２２２とは必ずしもカバー１０の回動軸の長さ方向において同じ位置に配置されていなくもよい。
【００５４】
図９に示すように、カバー１０の突起部１１２は、非限定的な一例として、カバー１０の回動軸の径方向に突出しており、カバー１０が閉鎖位置にある時にケース２０の開口部２００を閉鎖する面であるカバー裏面１０ｆが向く方向（ケース底部２０ｆに向かう方向）に向く面１１４と、カバー１０が特定の開放角γにある時にケース２０内側に向く面１１３とを有する。なお、面１１３と面１１４とが成す辺部には面取りを施してもよい。
【００５５】
カバー１０は、突起部１１２の面１１３がケース２０（ケース側壁２０ｄ）のストッパー２２２と係合したときにストッパーから受ける圧力によって、自重に逆らって特定の開放角に留まることができる。
【００５６】
ここで、図７に例示するように、ケース側壁２０ｄには、カバー１０の回動軸に沿う方向に部分的に延在するスリット２２３を設けてもよい。スリット２２３は、ケース側壁２０ｄを高さ方向に弾性変形し易くする。
【００５７】
そして、例えば図９に模式的に示すように、カバー１０を特定の開放角に向けて開放させていった場合、カバー１０の突起部１１２を成す２つの面１１３及び１１４のうち、面１１４がストッパー２２２に面する状態から面１１３がストッパー２２２に面する状態になるまで、突起部１１２を成す２つの面１１３及び面１１４が成す辺部がストッパー２２２に係合しながら移動する。
【００５８】
その間、ケース側壁２０ｄは、突起部１１２の当該辺部から圧力を受けてスリット２２３の開口サイズが収縮することで、カバー１０の回動軸から離れる方向に幾らか弾性変形（収縮）する。これにより、カバー１０は、突起部１１２によりストッパー２２２を押し退けながら回動することができ、特定の開放角γへの回動が許容される。そして、カバー１０の突起部１１２の面１１３がストッパー２２２に係合した時点で、ケース側壁２０ｄの弾性変形（収縮）が元の状態に復元し、その復元力によってカバー１０が開放角γでストッパーにより係止される。
【００５９】
したがって、例えば保守者等は、カバー１０を開放角γで係止状態にして、ケース２０内部に対する作業（例えば、ディスプレイに表示された計測値の確認や設定パネルを通じた各種設定等）を効率良く実施することができる。また、配線ケーブル等の障害物の存在により、カバー１０を開放角γよりも大きく開けないような環境に収容アセンブリ１が設置されているような状況においては、このようにカバー１０を開放角γで係止状態にして作業できることは極めて有用である。
【００６０】
なお、カバー１０の開放角γでの係止状態は、カバー１０の自重よりも大きな力をカバー１０に加えることで容易に解除できる。カバー１０の開放角γでの係止力は、例示的に、上述したスリット２２３のサイズを調整することで容易に調整することが可能である。
【符号の説明】
【００６１】
１…収容アセンブリ、１０…カバー、１０ａ…カバー表面、１０ｂ，１０ｃ，１０ｅ…カバー側部、１０ｄ…カバー側部（フランジ部）、１０ｆ…カバー裏面、１１ａ，１１ｂ…軸部材（カバー軸）、１２，２１１…突起部、２０…ケース、２０ｂ，２０ｃ，２０ｄ，２０ｅ…側壁、２０ｆ…底部、２１ａ，２１ｂ…軸受部（ケース軸受部）、１１０…切り欠き部（スリット）、１１１…面取り部分、１１２…突起部、１１３，１１４…面、２００…開口部、２１０…傾斜面、２１２…角部、２１３…窪み部（ガイド部）、２１５…段差部、２２２…ストッパー、２２３…スリット、３００…隙間
【図１】
2012141049.tif 000003
【図２】
2012141049.tif 000004
【図３】
2012141049.tif 000005
【図４】
2012141049.tif 000006
【図５】
2012141049.tif 000007
【図６】
2012141049.tif 000008
【図７】
2012141049.tif 000009
【図８】
2012141049.tif 000010
【図９】
2012141049.tif 000011